(57)【要約】【課題】ユーザが購入した商品の情報のコンテンツからユーザが見たい部分をそのユーザが容易に見付けることを可能とする。【解決手段】情報処理装置は、商品の情報を含むコンテンツを要求したユーザが商品を購入しているか否かを判定する。また、情報処理装置は、商品の購入後のコンテンツの表示箇所を少なくとも示す履歴に基づいて、コンテンツ内で見られた部分を特定する。そして、情報処理装置は、ユーザが商品を購入していると判定された場合、ユーザが前記商品を購入していないと判定された場合よりも、特定された部分が優先的に見える態様でコンテンツを表示させる。【選択図】図３
2014006841.tif 000002
【特許請求の範囲】
【請求項１】
商品の情報を含むコンテンツを要求したユーザが前記商品を購入しているか否かを判定する判定手段と、
前記コンテンツの表示箇所を少なくとも示す履歴のうち前記商品の購入後の履歴に基づいて、前記商品の購入後に前記コンテンツ内で見られた部分を特定する特定手段と、
前記判定手段により前記ユーザが前記商品を購入していると判定された場合、前記ユーザが前記商品を購入していないと判定された場合よりも、前記特定手段により特定された前記部分が優先的に見える態様で前記コンテンツを表示させる制御手段と、
を備えることを特徴とする情報処理装置。
【請求項２】
請求項１に記載の情報処理装置において、
前記コンテンツは少なくとも動画を含み、
前記特定手段は、前記動画の再生箇所を少なくとも示す前記履歴に基づいて、前記商品の購入後に前記動画内で見られた部分を特定し、
前記制御手段は、前記特定手段により特定された前記部分が優先的に再生される態様で前記動画を再生させることを特徴とする情報処理装置。
【請求項３】
請求項１または請求項２に記載の情報処理装置において、
前記制御手段は、前記コンテンツのスクロール表示が可能な領域に前記特定手段により特定された前記部分が含まれるように前記コンテンツを前記領域に表示させることを特徴とする情報処理装置。
【請求項４】
請求項１または請求項２に記載の情報処理装置において、
前記制御手段は、前記特定手段により特定された前記部分の前記コンテンツ内における位置を前記コンテンツの他の部分よりも見やすい位置に変更することを特徴とする情報処理装置。
【請求項５】
請求項１乃至４の何れか１項に記載の情報処理装置において、
前記商品が購入されていないときの前記コンテンツの表示箇所を示す前記履歴に基づいて、前記コンテンツ内で見られた部分を特定する第２特定手段を更に備え、
前記制御手段は、前記判定手段により前記ユーザが前記商品を購入していないと判定された場合、前記ユーザが前記商品を購入していると判定された場合よりも、前記第２特定手段により特定された前記部分が優先的に見える態様で前記コンテンツを表示させることを特徴とする情報処理装置。
【請求項６】
コンピュータにより実行される情報処理方法であって、
商品の情報を含むコンテンツを要求したユーザが前記商品を購入しているか否かを判定する判定ステップと、
前記コンテンツの表示箇所を少なくとも示す履歴のうち前記商品の購入後の履歴に基づいて、前記商品の購入後に前記コンテンツ内で見られた部分を特定する特定ステップと、
前記判定ステップにより前記ユーザが前記商品を購入していると判定された場合、前記ユーザが前記商品を購入していないと判定された場合よりも、前記特定ステップにより特定された前記部分が優先的に見える態様で前記コンテンツを表示させる制御ステップと、
を含むことを特徴とする情報処理方法。
【請求項７】
コンピュータを、
商品の情報を含むコンテンツを要求したユーザが前記商品を購入しているか否かを判定する判定手段、
前記コンテンツの表示箇所を少なくとも示す履歴のうち前記商品の購入後の履歴に基づいて、前記商品の購入後に前記コンテンツ内で見られた部分を特定する特定手段、及び、
前記判定手段により前記ユーザが前記商品を購入していると判定された場合、前記ユーザが前記商品を購入していないと判定された場合よりも、前記特定手段により特定された前記部分が優先的に見える態様で前記コンテンツを表示させる制御手段、
として機能させることを特徴とする情報処理プログラム。
【発明の詳細な説明】
【技術分野】
【０００１】
本発明は、商品の情報のコンテンツを表示させる情報処理装置及び情報処理方法の技術分野に関する。
【背景技術】
【０００２】
近年、インターネット上で商品が売買される電子商取引が盛んに行われている。ユーザは、電子商取引を利用して商品を購入する場合、商品の情報を含むコンテンツを閲覧する。このコンテンツの例としては、ウェブページ、動画等がある。そして、ユーザは、商品のコンテンツに含まれる情報に基づいて、商品を購入するか否かを決定する。商品のコンテンツには、様々な情報が含まれている場合がある。例えば、特許文献１には、商品ページに、商品名、商品写真、価格、商品内容、評価、売り上げランク、発送時期等が表示されることが記載されている。
【先行技術文献】
【特許文献】
【０００３】
【特許文献１】特開２００７−４５１８号公報
【発明の概要】
【発明が解決しようとする課題】
【０００４】
ユーザは、商品を購入した後にも、購入した商品のコンテンツを閲覧する場合がある。その理由は、購入後に必要な情報がそのコンテンツに含まれている場合があるからである。しかしながら、商品のコンテンツには、購入後にはあまり閲覧されない部分と、購入後に良く閲覧される部分が混在している場合がある。そのため、購入後に閲覧したい情報をユーザがコンテンツから見付けるために手間がかかることがある。
【０００５】
本発明は、以上の点に鑑みてなされたものであり、ユーザが購入した商品の情報のコンテンツからユーザが見たい部分をそのユーザが容易に見付けることを可能とする情報処理装置、情報処理方法及び情報処理プログラムを提供することを目的とする。
【課題を解決するための手段】
【０００６】
上記課題を解決するために、請求項１に記載の発明は、商品の情報を含むコンテンツを要求したユーザが前記商品を購入しているか否かを判定する判定手段と、前記コンテンツの表示箇所を少なくとも示す履歴のうち前記商品の購入後の履歴に基づいて、前記商品の購入後に前記コンテンツ内で見られた部分を特定する特定手段と、前記判定手段により前記ユーザが前記商品を購入していると判定された場合、前記ユーザが前記商品を購入していないと判定された場合よりも、前記特定手段により特定された前記部分が優先的に見える態様で前記コンテンツを表示させる制御手段と、を備えることを特徴とする。
【０００７】
この発明によれば、商品の情報のコンテンツを要求したユーザがその商品を既に購入している場合、その商品と同じ商品を購入したことがある誰かが購入後に見た部分が、そのユーザがその商品を購入していない場合よりも優先的に見える態様でコンテンツが表示される。商品の情報のコンテンツ内においてその商品を購入した誰かが見た部分は、今回コンテンツを要求したユーザが見たい蓋然性がある部分である。従って、ユーザが購入した商品の情報のコンテンツからユーザが見たい部分をそのユーザが容易に見付けることができる。
【０００８】
請求項２に記載の発明は、請求項１に記載の情報処理装置において、前記コンテンツは少なくとも動画を含み、前記特定手段は、前記動画の再生箇所を少なくとも示す前記履歴に基づいて、前記商品の購入後に前記動画内で見られた部分を特定し、前記制御手段は、前記特定手段により特定された前記部分が優先的に再生される態様で前記動画を再生させることを特徴とする。
【０００９】
この発明によれば、商品の情報のコンテンツを要求したユーザがその商品を既に購入している場合、その商品と同じ商品を購入したことがある誰かが購入後に見た部分が、そのユーザがその商品を購入していない場合よりも優先的に再生される態様で動画の再生が可能となる。従って、ユーザが購入した商品の情報のコンテンツに含まれる動画からユーザが見たい部分をそのユーザが容易に見付けることができる。
【００１０】
請求項３に記載の発明は、請求項１または請求項２に記載の情報処理装置において、前記制御手段は、前記コンテンツのスクロール表示が可能な領域に前記特定手段により特定された前記部分が含まれるように前記コンテンツを前記領域に表示させることを特徴とする。
【００１１】
この発明によれば、要求されたコンテンツと対応する商品を購入したことがある誰かが購入後に見た部分が領域内に表示される。そのため、ユーザは、見たい部分を見るためにスクロール操作を行う必要がない。
【００１２】
請求項４に記載の発明は、請求項１または請求項２に記載の情報処理装置において、前記制御手段は、前記特定手段により特定された前記部分の前記コンテンツ内における位置を前記コンテンツの他の部分よりも見やすい位置に変更することを特徴とする。
【００１３】
この発明によれば、要求されたコンテンツと対応する商品を購入したことがある誰かが購入後に見た部分が、他の部分よりも見やすい位置に表示される。そのため、ユーザは、見たい部分を容易に見付けることができる。
【００１４】
請求項５に記載の発明は、請求項１乃至４の何れか１項に記載の情報処理装置において、前記商品が購入されていないときの前記コンテンツの表示箇所を示す前記履歴に基づいて、前記コンテンツ内で見られた部分を特定する第２特定手段を更に備え、前記制御手段は、前記判定手段により前記ユーザが前記商品を購入していないと判定された場合、前記ユーザが前記商品を購入していると判定された場合よりも、前記第２特定手段により特定された前記部分が優先的に見える態様で前記コンテンツを表示させることを特徴とする。
【００１５】
この発明によれば、商品の情報のコンテンツを要求したユーザがその商品をまだ購入していない場合、誰かがその商品と同じ商品を購入していないときにその人物が見た部分が、そのユーザがその商品を購入している場合よりも優先的に見える態様でコンテンツが表示される。従って、ユーザが購入していない商品の情報のコンテンツから必要な部分をそのユーザが容易に見付けることができる。
【００１６】
請求項６に記載の発明は、コンピュータにより実行される情報処理方法であって、商品の情報を含むコンテンツを要求したユーザが前記商品を購入しているか否かを判定する判定ステップと、前記コンテンツの表示箇所を少なくとも示す履歴のうち前記商品の購入後の履歴に基づいて、前記商品の購入後に前記コンテンツ内で見られた部分を特定する特定ステップと、前記判定ステップにより前記ユーザが前記商品を購入していると判定された場合、前記ユーザが前記商品を購入していないと判定された場合よりも、前記特定ステップにより特定された前記部分が優先的に見える態様で前記コンテンツを表示させる制御ステップと、を含むことを特徴とする。
【００１７】
請求項７に記載の発明は、コンピュータを、商品の情報を含むコンテンツを要求したユーザが前記商品を購入しているか否かを判定する判定手段、前記コンテンツの表示箇所を少なくとも示す履歴のうち前記商品の購入後の履歴に基づいて、前記商品の購入後に前記コンテンツ内で見られた部分を特定する特定手段、及び、前記判定手段により前記ユーザが前記商品を購入していると判定された場合、前記ユーザが前記商品を購入していないと判定された場合よりも、前記特定手段により特定された前記部分が優先的に見える態様で前記コンテンツを表示させる制御手段、として機能させることを特徴とする。
【発明の効果】
【００１８】
本発明によれば、商品の情報のコンテンツを要求したユーザがその商品を既に購入している場合、その商品と同じ商品を購入したことがある誰かが購入後に見た部分が優先的に見える態様でコンテンツが表示される。従って、ユーザが購入した商品の情報のコンテンツからユーザが見たい部分をそのユーザが容易に見付けることができる。
【図面の簡単な説明】
【００１９】
【図１】一実施形態に係る情報処理システムＳの概要構成の一例を示す図である。
【図２】商品ページの一例を示す図である。
【図３】一実施形態に係る情報処理システムＳの処理例を示すシーケンス図である。
【図４】（ａ）及び（ｂ）は、購入後に良く見られた部分が優先的に見える態様で商品ページが表示された場合の商品ページの表示例である。
【図５】（ａ）は、オリジナル動画のシーンの割り当ての一例であり、（ｂ）は、編集動画のシーンの割り当ての一例であり、（ｃ）は、動画の再生開始位置の変更例を示す図である。
【図６】一実施形態に係る電子商店街サーバ１の概要構成の一例を示すブロック図である。
【図７】（ａ）は、会員情報ＤＢ１２ａに登録される内容の一例を示す図であり、（ｂ）は、商品情報ＤＢ１２ｂに登録される内容の一例を示す図であり、（ｃ）は、動画ＤＢ１２ｃに登録される内容の一例を示す図であり、（ｄ）は、閲覧履歴ＤＢ１２ｄに登録される内容の一例を示す図であり、（ｅ）は、購入履歴ＤＢ１２ｅに登録される内容の一例を示す図である。
【図８】一実施形態に係る電子商店街サーバ１の機能ブロックの一例を示す図である。
【図９】一実施形態に係る電子商店街サーバ１のシステム制御部１４の商品ページ送信処理の処理例を示すフローチャートである。
【図１０】一実施形態に係る電子商店街サーバ１のシステム制御部１４の編集動画生成処理における処理例を示すフローチャートである。
【発明を実施するための形態】
【００２０】
以下、図面を参照して本発明の実施形態について詳細に説明する。なお、以下に説明する実施の形態は、情報処理システムに対して本発明を適用した場合の実施形態である。
【００２１】
［１．情報処理システムの構成及び機能概要］
先ず、本実施形態に係る情報処理システムＳの構成について、図１を用いて説明する。図１は、本実施形態に係る情報処理システムＳの概要構成の一例を示す図である。
【００２２】
図１に示すように、情報処理システムＳは、電子商店街サーバ１と、複数の店舗端末２と、複数のユーザ端末３と、を含んで構成されている。そして、電子商店街サーバ１と各店舗端末２及び各ユーザ端末３とは、ネットワークＮＷを介して、例えば、通信プロトコルにＴＣＰ／ＩＰ等を用いて相互にデータの送受信が可能になっている。なお、ネットワークＮＷは、例えば、インターネット、専用通信回線（例えば、ＣＡＴＶ（Community Antenna Television）回線）、移動体通信網（基地局等を含む）、及びゲートウェイ等により構築されている。
【００２３】
電子商店街サーバ１は、商品の購入が可能な電子商店街に関する各種処理を実行するサーバ装置である。電子商店街サーバ１は、本発明における情報処理装置の一例である。ユーザは、電子商店街を利用することにより、所望の店舗から所望の商品を購入することができる。電子商店街サーバ１は、ユーザ端末３からのリクエストに応じて、例えば、電子商店街のウェブページを送信したり、商品の検索や購入等に関する処理を行ったりする。
【００２４】
店舗端末２は、電子商店街に出店している店舗により利用される端末装置である。店舗端末２は、店舗の従業員等からの操作に基づいて電子商店街サーバ１等のサーバ装置にアクセスする。これにより、店舗端末２は、サーバ装置からウェブページを受信して表示する。店舗端末２には、ブラウザや電子メールクライアント等のソフトウェアが組み込まれている。従業員は、店舗端末２を利用することにより、例えば、販売する商品の情報を電子商店街に登録したり、商品の注文内容を確認したりする。
【００２５】
ユーザ端末３は、電子商店街を利用するユーザの端末装置である。ユーザ端末３は、ユーザからの操作に基づいて電子商店街サーバ１にアクセスすることにより、電子商店街サーバ１からウェブページを受信して表示する。ユーザ端末３には、ブラウザや電子メールクライアント等のソフトウェアが組み込まれている。ユーザ端末３としては、例えば、パーソナルコンピュータ、ＰＤＡ（Personal Digital Assistant）、スマートフォン等の携帯情報端末、携帯電話機等が用いられる。
【００２６】
［２．商品ページの表示］
次に、商品の購入後のユーザに適した商品ページの表示について、図２乃至図５を用いて説明する。商品ページは、電子商店街の一部を構成し、商品に関する詳細な情報が表示されるウェブページである。商品ページは、店舗から販売される商品ごとに存在する。商品ページは、本発明におけるコンテンツの一例である。
【００２７】
図２は、商品ページの一例を示す図である。商品ページには、様々な要素が含まれている。各要素は、商品ページの一部である。要素の例として、画像、文字、文章、グラフ等の情報や、操作要素等が挙げられる。操作要素として、例えば、ボタン等が挙げられる。図２に示すように、或る商品ページ１００には、広告画像１０１、商品画像１０２、商品画像１０３、商品名１０４、価格１０５、買い物かご登録ボタン１０６、紹介１０７、使用方法１０８、動画１０９、仕様１１０、支払い方法１１２、送料１１３等が含まれている。買い物かご登録ボタン１０６は、商品を買い物かごに入れるためのボタンである。買い物かごは、購入しようとする対象としてユーザが選択した商品が入れられる仮想的な入れ物である。ユーザは、買い物かごに入れられている商品の中から商品を購入することができる。動画１０９は、店舗により作成された動画である。店舗により作成された動画は、例えば、商品の動画であったり商品に関連する物事の動画であったりする。なお、動画は、音声を含んでいてもよい。
【００２８】
全ての商品ページに含まれている要素は、商品名１０４、価格１０５及び買い物かご登録ボタン１０６である。店舗は、これらの要素以外に如何なる要素を商品ページに掲載するかを自由に決めることができる。また、店舗は、商品ページ内の要素の配置も自由に決めることができる。そのため、商品によっては、商品ページの内容が図２に示す商品ページ１００とは異なる場合がある。
【００２９】
店舗は、通常は商品の売り上げを良くするために、商品ページに掲載する要素や要素の配置を決定する。つまり、店舗は、基本的にはまだ商品を購入していないユーザに向けた商品ページをデザインすると考えられる。しかしながら、商品を購入したユーザも、その商品の商品ページを閲覧する場合がある。例えば、商品の購入後にユーザが見たい情報が商品ページに掲載されている場合、ユーザは、商品ページを閲覧するかもしれない。その場合、ユーザは、商品ページからユーザが見たい情報を見つけ出すのに手間がかかる場合がある。その理由は、商品ページには、商品の購入後には必要ではない情報も含まれているからである。例えば、図２に示すように、商品ページが縦に長いと、１画面では、商品ページの全体を表示することができない場合がある。図２において、表示領域２００は、商品ページが表示される領域である。ユーザは、表示領域２００に対して、商品ページをスクロールさせる操作を行うことが可能である。表示領域２００は、例えば、ブラウザのウインドウのクライアント領域であってもよいし、ユーザ端末３の画面全体であってもよい。表示領域２００は、本発明における領域の一例である。図２においては、広告画像１０１、商品画像１０２及び商品画像１０３、商品名１０４、価格１０５及び買い物かご登録ボタン１０６のみが表示されている。ユーザが使用方法１０８を見たい場合、ユーザは、スクロール操作を行わなければならない。
【００３０】
そこで、商品を購入したユーザがその商品の商品ページを要求した場合、電子商店街サーバ１は、購入後に適した態様で商品ページをユーザ端末３により画面に表示させる。購入後に適した態様とは、商品を購入したことがあるユーザがその商品の購入後にその商品の商品ページ内で良く見た部分が優先的に見える態様である。その理由は、そのような部分は、今回商品ページを要求したユーザが見たいと考える蓋然性が高い部分であるからである。
【００３１】
図３は、本実施形態に係る情報処理システムＳの処理例を示すシーケンス図である。図３に示すように、ユーザ端末３は、ユーザにより指定された商品の商品ページのリクエストを電子商店街サーバ１へ送信する（ステップＳ１）。リクエストの送信元のユーザ端末３を利用するユーザを、「要求ユーザ」という。また、要求ユーザにより指定された商品を、「指定商品」という。リクエストを受信した電子商店街サーバ１は、要求ユーザが指定商品を購入しているか否かを判定する（ステップＳ２）。ユーザが電子商店街で商品を購入すると、電子商店街サーバ１は、購入履歴を登録する。そのため、電子商店街サーバ１は、購入履歴の有無に基づいて判定を行うことができる。電子商店街サーバ１は、要求ユーザが指定商品を購入していないと判定した場合には（ステップＳ２：ＮＯ）、指定商品の商品ページをそのままユーザ端末３へ送信する（ステップＳ５）。その結果、ユーザ端末３の画面の表示領域２００には、例えば、図２に示すような商品ページが表示される。
【００３２】
一方、電子商店街サーバ１は、要求ユーザが指定商品を購入していると判定した場合には（ステップＳ２：ＹＥＳ）、商品ページから指定商品の購入後に良く見られた部分を特定する（ステップＳ３）。良く見られた部分は、例えば、指定商品を購入したことがあるユーザにより指定商品の購入後に見られた時間の総計が最も長い部分であってもよい。
【００３３】
或いは、良く見られた部分は、例えば、購入後に見られた時間の総計が、指定商品のウェブページの総閲覧時間に応じて決定された閾値を超える部分であってもよい。電子商店街サーバ１は、商品ページの閲覧履歴を記録している。閲覧履歴は、閲覧情報を含む。閲覧情報は、商品ページの如何なる部分が閲覧されたかを示す。そこで、電子商店街サーバ１は、閲覧情報に基づいて、購入後に良く見られた部分を特定する。電子商店街サーバ１は、購入後に良く見られた部分を１つのみ特定してもよいし、複数特定してもよい。
【００３４】
次いで、電子商店街サーバ１は、要求ユーザが指定商品を購入していないと判定した場合よりも、特定した部分が優先的に見える態様で商品ページがユーザ端末３の画面に表示されるように、商品ページを生成する（ステップＳ４）。優先的に見える態様とは、例えば、商品ページが表示領域２００に表示された時点で、特定した部分が表示領域２００に含まれている状態である。或いは、優先的に見える態様は、例えば、特定した部分を表示させるための操作（例えば、スクロール操作等）が、他の部分を表示させるための操作よりも手間がかからない態様であってもよい。そして、電子商店街サーバ１は、生成した商品ページを送信する（ステップＳ５）。ユーザ端末３は、電子商店街サーバ１から送信された商品ページを受信して表示する（ステップＳ６）。
【００３５】
図４（ａ）及び図４（ｂ）は、購入後に良く見られた部分が優先的に見える態様で商品ページが表示された場合の商品ページの表示例である。例えば、図３に示す商品ページ１００において、使用方法１０８が購入後に良く見られた部分であるとする。電子商店街サーバ１は、例えば、図４（ａ）に示すように、使用方法１０８が表示領域２００に含まれるように商品ページ１００の表示位置を制御してもよい。これにより、ユーザはスクロール操作を行う必要がない。このとき、電子商店街サーバ１は、使用方法１０８が表示領域２００の上部に位置するように制御することが好ましい。或いは、電子商店街サーバ１は、良く見られた要素を他の要素よりも見やすい位置に配置してもよい。見やすい位置は、例えば、商品ページの最上部であってもよい。例えば、電子商店街サーバ１は、図４（ｂ）に示すように、使用方法１０８が商品ページ１００の最上部に位置するように商品ページ１００を変換する。これにより、使用方法１０８が表示領域２００に含まれるようになる。この場合も、ユーザはスクロール操作を行う必要がない。図２と、図４（ａ）及び図４（ｂ）とを比較すると、要求ユーザが指定商品を購入していると電子商店街サーバ１が判定した場合には、購入後に良く見られた部分が、要求ユーザが指定商品を購入していないと電子商店街サーバ１が判定した場合よりも優先的に表示されている。
【００３６】
ユーザ端末３は、商品ページの表示後、予め定められたタイミングで閲覧情報を電子商店街サーバ１へ送信する（ステップＳ７）。閲覧情報を受信した電子商店街サーバ１は、閲覧情報を閲覧履歴に記録する（ステップＳ８）。
【００３７】
ユーザは、商品ページに含まれる動画を再生することにより、動画を視聴することがある。商品ページには、動画とともに動画の再生を制御するための操作要素群が表示される。この操作要素群は、再生及び一時停止のためのボタンと、シークバーとを含む。シークバーは、動画の時間軸上の再生位置を示すインジケーターとしての役割と、再生位置を変更するためのスライドバーとしての役割を有する。操作要素群は、例えば、巻き戻し再生のためのボタン、早送り再生のためのボタン、スロー再生のためのボタン等を含んでいてもよい。
【００３８】
動画は、商品の購入後にユーザが見たい部分（例えば、シーン等）を含む場合がある。しかしながら、動画が商品の購入後に必要ではない部分を含む場合がある。そのため、動画の再生開始からユーザが見たい部分が再生されるまでに時間を要する場合がある。また、ユーザが見たい部分を探すためにユーザがシーク操作を行わなければならない場合がある。そこで、商品を購入したユーザがその商品の商品ページを要求した場合、電子商店街サーバ１は、商品の購入後に適した動画が含まれる商品ページを画面に表示させる。これにより、電子商店街サーバ１は、商品の購入後に適した動画をユーザ端末３により再生させる。ここで、店舗によって作成された動画を、「オリジナル動画」という。一方、電子商店街サーバ１が商品の購入後に適するように作成した動画を、「編集動画」という。
【００３９】
図３に示すように、要求ユーザが動画の再生操作を行うと（ステップＳ９）、電子商店街サーバ１は、例えば、ストリーミング方式で、指定商品の動画をユーザ端末３へ送信する（ステップＳ１０）。ユーザ端末３は、指定商品の動画を再生する（ステップＳ１１）。また、ユーザ端末３は、予め定められたタイミングで、再生情報を電子商店街サーバ１へ送信する（ステップＳ１２）。再生情報は、動画の如何なる部分が再生されたかを示す。再生情報を受信した電子商店街サーバ１は、再生情報を閲覧履歴に記録する（ステップＳ１３）。
【００４０】
指定商品の動画に関して予め定められた条件が満たされると、電子商店街サーバ１は、編集動画を生成する。具体的に、電子商店街サーバ１は、再生情報に基づいて、指定商品の動画から指定商品の購入後に良く見られた部分を特定する（ステップＳ１４）。良く見られた部分は、例えば、指定商品を購入したことがあるユーザによる指定商品の購入後の再生回数が最も多い部分であってもよい。或いは、良く見られた部分は、例えば、購入後の再生回数が、動画の総再生時間に応じて決定された閾値を超える部分であってもよい。電子商店街サーバ１は、購入後に良く見られた部分を１つのみ特定してもよいし、複数特定してもよい。
【００４１】
次いで、電子商店街サーバ１は、要求ユーザが指定商品を購入していない場合よりも、特定した部分が優先的に再生される態様で編集動画が再生されるように、編集動画を生成する（ステップＳ１５）。優先的に再生される態様とは、例えば、特定した部分のみが再生される態様である。或いは、優先的に再生される態様は、例えば、特定した部分が他の部分よりも先に再生される態様であってもよい。或いは、優先的に再生される態様は、例えば、特定した部分を再生させるための操作（例えば、再生ボタンやシークバーの操作等）が、他の部分を再生させるための操作よりも手間がかからない態様であってもよい。電子商店街サーバ１は、生成した編集動画が再生されるように、ステップＳ５において商品ページを生成する。
【００４２】
図５（ａ）は、オリジナル動画のシーンの割り当ての一例である。図５（ｂ）は、編集動画のシーンの割り当ての一例である。例えば、商品がカニであるとする。また、図５（ａ）に示すように、例えば、カニのオリジナル動画において、０〜１０秒にカニを捕るシーン、１０〜２０秒にカニを冷凍するシーン、２０〜３０秒にカニを捌くシーン、３０〜４０秒にカニ料理を作るシーンがそれぞれ再生されるとする。これらのシーンのうち、カニの購入後に良く見られたシーンがカニを捌くシーン及びカニ料理を作るシーンであったとする。この場合、電子商店街サーバ１は、例えば、図５（ｂ）に示すように、カニを捌くシーン及びカニ料理を作るシーンのみにより構成される編集用動画を生成する。これにより、必要なシーンが直ぐに再生される。
【００４３】
ところで、商品を購入したユーザが、オリジナル動画を見たい場合がある。その場合としては、例えば、編集用動画にユーザが必要とする部分が含まれていなかった場合である。そこで、電子商店街サーバ１は、例えば、図４（ａ）に示すように、オリジナル動画を再生させるためのリンク１２０を商品ページに埋め込んでもよい。また、例えば、電子商店街サーバ１は、０〜２０秒にカニを捌くシーン及びカニ料理が再生され、２０〜４０秒にカニを捕るシーン及びカニを冷凍するシーンが再生されるように、編集用動画を生成してもよい。
【００４４】
また、電子商店街サーバ１は、例えば、編集動画を生成する代わりに、動画の再生開始位置を変更してもよい。再生開始位置の初期値は０秒である。図５（ｃ）は、動画の再生開始位置の変更例を示す図である。例えば、電子商店街サーバ１は、再生開始位置を０秒から２０秒に変更する。これにより、必要なシーンが直ぐに再生されるとともに、ユーザのシーク操作によって全てのシーンを再生させることができる。
【００４５】
図５（ａ）と、図５（ｂ）及び図５（ｃ）とを比較すると、要求ユーザが指定商品を購入している場合には、購入後に良く見られた部分が、要求ユーザが指定商品を購入していない場合よりも優先的に再生される。
【００４６】
［３．電子商店街サーバの構成］
次に、電子商店街サーバ１の構成について、図６乃至図８を用いて説明する。
【００４７】
図６は、本実施形態に係る電子商店街サーバ１の概要構成の一例を示すブロック図である。図６に示すように、電子商店街サーバ１は、通信部１１と、記憶部１２と、入出力インターフェース１３と、システム制御部１４と、を備えている。そして、システム制御部１４と入出力インターフェース１３とは、システムバス１５を介して接続されている。
【００４８】
通信部１１は、ネットワークＮＷに接続して、店舗端末２やユーザ端末３等との通信状態を制御するようになっている。
【００４９】
記憶部１２は、例えば、ハードディスクドライブ等により構成されている。この記憶部１２には、会員情報ＤＢ１２ａ、商品情報ＤＢ１２ｂ、動画ＤＢ１２ｃ、閲覧履歴ＤＢ１２ｄ、購入履歴ＤＢ１２ｅ等のデータベースが構築されている。「ＤＢ」は、データベースの略語である。
【００５０】
図７（ａ）は、会員情報ＤＢ１２ａに登録される内容の一例を示す図である。会員情報ＤＢ１２ａには、電子商店街に会員登録しているユーザに関する会員情報が登録される。具体的に、会員情報ＤＢ１２ａには、ユーザＩＤ、パスワード、ニックネーム、氏名、生年月日、性別、郵便番号、住所、電話番号、電子メールアドレス等のユーザの属性が、ユーザごとに対応付けて登録される。
【００５１】
図７（ｂ）は、商品情報ＤＢ１２ｂに登録される内容の一例を示す図である。商品情報ＤＢ１２ｂには、電子商店街で販売されている商品に関する商品情報が登録される。商品情報は、店舗により登録される情報である。具体的に、商品情報ＤＢ１２ｂには、店舗ＩＤ、商品ＩＤ、ジャンルＩＤ、商品名、商品画像、詳細情報、商品価格、オリジナル動画の動画ＩＤ及び編集動画の動画ＩＤ等が、店舗が販売する商品ごとに対応付けて登録される。店舗ＩＤは、商品の販売元の店舗の識別情報である。商品ＩＤは、店舗が、販売する商品を管理するための商品の識別情報である。店舗ＩＤと商品ＩＤとの組み合わせは、商品ページと一対一で対応する。ジャンルＩＤは、商品が属するジャンルを示す。詳細情報は、商品に関する詳細な情報である。店舗は、詳細情報として、様々な情報を登録することができる。動画ＩＤは、動画の識別情報である。オリジナル動画の動画ＩＤ及び編集動画の動画ＩＤは、それぞれ必要に応じて登録される。
【００５２】
図７（ｃ）は、動画ＤＢ１２ｃに登録される内容の一例を示す図である。動画ＤＢ１２ｃには、動画が登録される。具体的に、動画ＤＢ１２ｃには、動画ＩＤ、登録日時及び動画のデータが対応付けて登録される。登録日時は、動画が登録された日時である。
【００５３】
図７（ｄ）は、閲覧履歴ＤＢ１２ｄに登録される内容の一例を示す図である。閲覧履歴ＤＢ１２ｄには、商品ページの閲覧履歴が登録される。閲覧履歴は、本発明における履歴の一例である。具体的に、閲覧履歴ＤＢ１２ｄには、ユーザＩＤ、店舗ＩＤ、商品ＩＤ、表示日時及び購入状態が登録される。ユーザＩＤは、商品ページを閲覧したユーザを示す。店舗ＩＤ及び商品ＩＤは、閲覧された商品ページに対応する商品を示す。表示日時は、商品ページが表示された日時を示す。実際の表示日時は、システム制御部１４が商品ページのＨＴＭＬ（HyperText Markup Language）文書を送信した日時である。購入状態は、ユーザＩＤが示すユーザが、店舗ＩＤ及び商品ＩＤが示す商品を購入しているか否かを示す。購入状態には、「未購入」及び「購入後」の何れかが設定される。
【００５４】
また、閲覧履歴ＤＢ１２ｄには、ユーザＩＤ、店舗ＩＤ、商品ＩＤ及び表示日時の組み合わせごとに、必要に応じて閲覧情報及び再生情報がそれぞれ１つ以上登録される。閲覧情報は、閲覧箇所情報及び閲覧時間を含む。閲覧箇所情報は、表示領域２００に表示されていた部分を示す。例えば、閲覧箇所情報は、商品ページのうち表示領域２００に表示されていた範囲に含まれる要素の識別情報であってもよい。要素の識別情報は、例えば、要素に対応するＨＴＭＬタグのname属性であったりid属性であったりしてもよい。また、閲覧箇所情報は、表示領域２００に表示されていた範囲の商品ページ上の座標であってもよい。購入状態が「購入後」である場合の閲覧箇所情報は、商品の購入後の商品のウェブページの表示箇所を示す情報の一例である。また、購入状態が「未購入」である場合の閲覧箇所情報は、商品が購入されていないときの商品のウェブページの閲覧箇所を示す情報の一例である。閲覧時間は、閲覧箇所情報が示す部分が表示されていた継続時間を示す。再生情報は、動画ＩＤ及び再生箇所情報を含む。動画ＩＤは、再生された動画を示す。再生箇所情報は、時間軸上において動画が再生された範囲を示す。購入状態が「購入後」である場合の再生箇所情報は、商品の購入後の動画の再生箇所（表示箇所）を示す情報の一例である。
【００５５】
図７（ｅ）は、購入履歴ＤＢ１２ｅに登録される内容の一例を示す図である。購入履歴ＤＢ１２ｅには、ユーザによる商品の購入履歴が登録される。具体的に、購入履歴ＤＢ１２ｅには、注文コード、購入日時、ユーザＩＤ、店舗ＩＤ及び商品ＩＤ等が、商品の購入ごとに対応付けて登録される。注文コードは、商品の注文が行われるたびに付与される注文の識別情報である。ユーザＩＤは、購入者を示す。店舗ＩＤ及び店舗ＩＤは、購入された商品を示す。
【００５６】
購入履歴と商品が未購入時の閲覧履歴とに基づいて、電子商店街サーバ１は、動画の評価を行うことができる。例えば、電子商店街サーバ１は、動画を見て商品を購入したユーザの割合を計算したり、動画全体のうち商品を購入したユーザが購入前に見た部分等を特定したりすることができる。電子商店街サーバ１は、例えば、店舗端末２からのリクエストに応じて、店舗により指定された商品の動画の評価結果を示す情報を店舗端末２に送信する。店舗は、動画の評価に基づいて、例えば、動画を作り直すことができる。これにより、店舗は、動画を販売促進に役立てることができる。商品の購入後の閲覧履歴は、このような用途には向かないと考えられる。その理由は、商品を購入したユーザがその後同じ商品を購入する蓋然性が低いからである。
【００５７】
次に、記憶部１２に記憶されるその他の情報について説明する。記憶部１２には、ウェブページを表示するためのＨＴＭＬ文書、ＸＭＬ（Extensible Markup Language）文書、画像データ、テキストデータ、電子文書等の各種データが記憶されている。また、記憶部１２には、各種の設定値が記憶されている。システム制御部１４は、店舗端末２から送信された商品情報を商品情報ＤＢ１２ｂに登録すると、その商品情報に基づいて商品ページを生成して記憶部１２に記憶させる。また、記憶部１２には、各種の設定値が記憶されている。
【００５８】
また、記憶部１２には、オペレーティングシステム、ＷＷＷ（World Wide Web）サーバプログラム、ＤＢＭＳ（Database Management System）、電子商取引管理プログラム等の各種プログラムが記憶されている。電子商取引管理プログラムは、電子商取引に関する各種の処理を実行するためのプログラムである。電子商取引管理プログラムは、本発明における情報処理プログラムの一例である。なお、各種プログラムは、例えば、他のサーバ装置等からネットワークＮＷを介して取得されるようにしてもよいし、ＤＶＤ（Digital Versatile Disc）等の記録媒体に記録されてドライブ装置を介して読み込まれるようにしてもよい。
【００５９】
入出力インターフェース１３は、通信部１１及び記憶部１２とシステム制御部１４との間のインターフェース処理を行うようになっている。
【００６０】
図８は、本実施形態に係る電子商店街サーバ１の機能ブロックの一例を示す図である。システム制御部１４は、ＣＰＵ１４ａ、ＲＯＭ（Read Only Memory）１４ｂ、ＲＡＭ（Random Access Memory）１４ｃ等により構成されている。そして、システム制御部１４は、ＣＰＵ１４ａが、各種プログラムを読み出し実行することにより、図８に示すように、購入判定部１４１、閲覧箇所特定部１４２、商品ページ生成部１４３、動画生成部１４４、送信部１４５及び閲覧履歴記録部１４６として機能するようになっている。購入判定部１４１は、本発明における判定手段の一例である。閲覧箇所特定部１４２は、本発明における特定手段の一例である。商品ページ生成部１４３、動画生成部１４４及び送信部１４５は、本発明における制御手段の一例である。
【００６１】
購入判定部１４１は、ユーザ端末３から商品ページのリクエストがあったとき、購入履歴ＤＢ１２ｅに登録された購入履歴に基づいて、要求ユーザが指定商品を購入しているか否かを判定する。閲覧箇所特定部１４２は、閲覧履歴ＤＢ１２ｄに登録された閲覧履歴の閲覧情報に基づいて、指定商品の商品ページから指定商品の購入後に良く見られた部分を特定する。また、閲覧箇所特定部１４２は、閲覧履歴ＤＢ１２ｄに登録された閲覧履歴の再生情報に基づいて、指定商品の動画から指定商品の購入後に良く見られた部分を特定する。商品ページ生成部１４３は、閲覧箇所特定部１４２により特定された部分が優先的に見える態様で商品ページが表示されるように、商品ページのＨＴＭＬ文書を生成する。動画生成部１４４は、閲覧箇所特定部１４２により特定された部分が優先的に再生される態様で編集動画が再生されるように、編集動画を生成する。送信部１４５は、ＨＴＭＬ文書や動画等の情報を、通信部１１を介してユーザ端末３へ送信する。閲覧履歴記録部１４６は、ユーザ端末３から送信されてくる閲覧情報や再生情報に基づいて、閲覧履歴を閲覧履歴ＤＢ１２ｄに登録する。
【００６２】
なお、電子商店街サーバ１が、複数のサーバ装置で構成されてもよい。例えば、電子商店街において商品の検索や注文等の処理を行うサーバ装置、商品ページや動画から商品の購入後に良く見られた部分を特定し、商品ページや編集動画を生成するサーバ装置、ユーザ端末３からのリクエストに応じてウェブページを送信するサーバ装置、及びデータベースを管理するサーバ装置等が、互いにＬＡＮ等で接続されてもよい。
［４．情報処理システムの動作］
次に、情報処理システムＳの動作について、図９及び図１０を用いて説明する。なお、以下に説明する動作例は、図４（ａ）に示したように、購入後に良く見られた部分が表示領域２００に含まれるように、電子商店街サーバ１がユーザ端末３に商品ページを表示させる場合の例である。また、以下に説明する動作例は、電子商店街サーバ１が図５（ｂ）に示したような編集動画を生成する場合の例である。
【００６３】
図９は、本実施形態に係る電子商店街サーバ１のシステム制御部１４の商品ページ送信処理の処理例を示すフローチャートである。商品ページ送信処理は、電子商店街サーバ１がユーザ端末３から商品ページのリクエストを受信したときに開始される。商品ページのリクエストには、指定商品の商品ページのＨＴＭＬ文書のＵＲＬ及び要求ユーザのユーザＩＤが設定されている。
【００６４】
図９に示すように、商品ページ生成部１４３は、指定商品の商品ページのＨＴＭＬ文書を記憶部１２から取得する（ステップＳ３１）。このとき、商品ページ生成部１４３は、現在日時を表示日時として取得する。そして、システム制御部１４は、取得したＨＴＭＬ文書に表示日時を設定する。
【００６５】
次いで、購入判定部１４１は、要求ユーザが指定商品を購入したことを示す購入履歴を購入履歴ＤＢｄから検索する（ステップＳ３２）。具体的に、購入判定部１４１は、要求ユーザのユーザＩＤ、指定商品の店舗ＩＤ及び商品ＩＤを含む購入履歴を検索する。次いで、購入判定部１４１は、該当する購入履歴があるか否かを判定する（ステップＳ３３）。このとき、購入判定部１４１は、該当する購入履歴がないと判定した場合には（ステップＳ３３：ＮＯ）、ステップＳ４０に移行する。一方、購入判定部１４１は、該当する購入履歴があると判定した場合には（ステップＳ３３：ＹＥＳ）、ステップＳ３４に移行する。ステップＳ４０において、送信部１４５は、取得したＨＴＭＬ文書をユーザ端末３へ送信する。次いで、送信部１４５は、ステップＳ４１に移行する。
【００６６】
ステップＳ３４において、閲覧箇所特定部１４２は、指定商品の購入後の閲覧履歴を閲覧履歴ＤＢ１２ｄから検索する。具体的に、閲覧箇所特定部１４２は、指定商品の店舗ＩＤ及び商品ＩＤを含む閲覧履歴のうち、購入状態が「購入後」である閲覧履歴を検索する。検索対象となる閲覧履歴は、要求ユーザの閲覧履歴及び要求ユーザ以外のユーザの閲覧履歴を含む。なお、閲覧箇所特定部１４２は、予め設定された期間内に登録された閲覧履歴の中からのみ検索を行ってもよい。
【００６７】
次いで、閲覧箇所特定部１４２は、検索された閲覧履歴の中に、閲覧情報を含む閲覧履歴が予め設定された数以上あるか否かを判定する（ステップＳ３５）。このとき、閲覧箇所特定部１４２は、閲覧情報を含む閲覧履歴が予め設定された数以上あると判定した場合には（ステップＳ３５：ＹＥＳ）、ステップＳ３６に移行する。一方、閲覧箇所特定部１４２は、閲覧情報を含む閲覧履歴が予め設定された数以上ないと判定した場合には（ステップＳ３５：ＮＯ）、ステップＳ４０に移行する。
【００６８】
ステップＳ３６において、閲覧箇所特定部１４２は、検索された閲覧履歴に含まれる閲覧情報に基づいて、指定商品の商品ページ内で最も良く見られた部分を特定する。例えば、閲覧箇所特定部１４２は、閲覧箇所情報及び閲覧時間に基づいて、商品ページ内の部分ごとに、閲覧時間の総計を算出する。そして、閲覧箇所特定部１４２は、閲覧時間の総計が最も大きい部分を、最も良く見られた部分として特定する。なお、閲覧箇所特定部１４２は、全商品ページで内容が同一の要素を、最も良く見られた部分としては特定しなくてもよい。全ての商品ページで内容が同一の要素としては、例えば、買い物かご登録ボタンがある。また、例えば、全ての商品ページに、電子商店街の商標、著作権表示、ナビゲーション領域等が表示される場合がある。ナビゲーション領域とは、例えば、特定のウェブページのリンクが複数表示された領域であったり、商品の検索条件を指定するための入力欄やボタンが表示された領域であったりする。
【００６９】
次いで、商品ページ生成部１４３は、取得したＨＴＭＬ文書に、購入後に良く見られた部分が表示領域２００に含まれるようにするスクリプトを追加する（ステップＳ３７）。例えば、このスクリプトは、商品ページが完全に表示されたとき（onloadイベントの発生時）に、最も良く見られた部分まで商品ページを自動的にスクロールするためのスクリプトである。
【００７０】
次いで、商品ページ生成部１４３は、指定商品の編集動画が登録されているか否かを判定する（ステップＳ３８）。指定商品の商品情報に編集動画の動画ＩＤが設定されている場合、編集動画は登録されている。商品ページ生成部１４３は、編集動画が登録されていないと判定した場合には（ステップＳ３８：ＮＯ）、ステップＳ４０に移行する。ここで、送信部１４５は、スクリプトが追加されたＨＴＭＬ文書を送信する。一方、商品ページ生成部１４３は、編集動画が登録されていると判定した場合には（ステップＳ３８：ＹＥＳ）、ステップＳ３９に移行する。
【００７１】
ステップＳ３９において、商品ページ生成部１４３は、スクリプトが追加されたＨＴＭＬ文書に記載されているオリジナル動画のＵＲＬを、編集動画のＵＲＬに書き換える。商品ページ生成部１４３は、編集動画の動画ＩＤに基づいてＵＲＬを生成することができる。また、商品ページ生成部１４３は、オリジナル動画を再生させるためのリンク１２０をＨＴＭＬ文書に追加する。次いで、送信部１４５は、ステップＳ４０において、動画のＵＲＬが書き換えられたＨＴＭＬ文書をユーザ端末３へ送信する。
【００７２】
ステップＳ４１において、閲覧履歴記録部１４６は、閲覧履歴を閲覧履歴ＤＢ１２ｄに登録する（ステップＳ４１）。具体的に、閲覧履歴記録部１４６は、要求ユーザのユーザＩＤ、指定商品の店舗ＩＤ、指定商品の商品ＩＤ、表示日時及び購入状態を対応付けて登録する。このとき、閲覧履歴記録部１４６は、ステップＳ３３において該当する購入履歴がないと判定した場合には、購入状態に「未購入」を設定する。一方、閲覧履歴記録部１４６は、該当する購入履歴があると判定した場合には、購入状態に「購入後」を設定する。閲覧履歴記録部１４６は、この処理を終えると、商品ページ送信処理を終了させる。
【００７３】
ＨＴＭＬ文書を受信したユーザ端末３は、ＨＴＭＬ文書に基づいて商品ページを表示領域２００に表示する。このとき、要求ユーザが指定商品を購入しており、且つ、閲覧履歴が或る程度蓄積されていれば、ユーザ端末３は、商品ページの表示が完了した時点でスクリプトを実行する。これにより、例えば、図４（ａ）に示すように商品ページが表示される。
【００７４】
なお、システム制御部１４は、スクリプトを追加する方法以外の方法を利用してもよい。例えば、システム制御部１４は、ＨＴＴＰ（HyperText Transfer Protocol）リダイレクトを利用してもよい。具体的に、商品ページ生成部１４３は、指定商品の商品ページのＨＴＭＬ文書のＵＲＬに、最も良く見られた部分に位置する要素の識別情報を付加する。そして、送信部１４５は、識別情報が付加されたＵＲＬをユーザ端末３へ送信する。この後、ユーザ端末３が商品ページを表示するまでの処理内容は公知であるので、詳細な説明は省略する。
【００７５】
また、図４（ｂ）に示すような要素の配置を変更する場合、商品ページ生成部１４３は、最も良く見られた要素が商品ページの最上部に位置するように、記憶部１２から取得した商品ページのＨＴＭＬ文書を書き換える。このとき、商品ページ生成部１４３は、例えば、閲覧時間の総計が大きい順に、各要素を並べ替えてもよい。なお、商品ページの最上部に、電子商店街の商標やナビゲーション領域等、全ての商品ページで内容が同一の要素が元々配置されている場合がある。この場合、商品ページ生成部１４３は、全ての商品ページで内容が同一の要素の下に、良く見られた要素を配置してもよい。
【００７６】
ユーザ端末３が商品ページを表示しているとき、ユーザ端末３は、例えば、ユーザが商品ページに関する操作を行うたびに、閲覧情報を電子商店街サーバ１へ送信する。商品ページに関する操作の例としては、商品ページをスクロールする操作、買い物かご登録ボタン１０６等のボタンやリンクを選択する操作等が挙げられる。また、ユーザ端末３は、例えば、ユーザからの操作がない間、定期的に閲覧情報を送信する。閲覧情報に設定される閲覧箇所情報は、例えば、閲覧情報の送信時点で表示領域２００に表示されていた商品ページの範囲内にある要素の識別情報である。また、閲覧時間は、例えば、前回の閲覧情報の送信時から経過した時間である。ユーザ端末３は、閲覧情報を、要求ユーザのユーザＩＤ、指定商品の店舗ＩＤ及び商品ＩＤ、ＨＴＭＬ文書に設定されている表示日時とともに送信する。閲覧履歴記録部１４６は、受信した閲覧情報を、閲覧情報とともに送信されたユーザＩＤ、店舗ＩＤ、商品ＩＤ及び表示日時に対応付けて閲覧履歴ＤＢ１２ｄに登録する。
【００７７】
要求ユーザが動画を再生させる操作を行ったとき、ユーザ端末３は、オリジナル動画または編集動画の何れかの再生を開始する。ユーザ端末３は、例えば、要求ユーザが動画の再生を制御する操作を行うたびに、再生情報を電子商店街サーバ１へ送信する。このとき、ユーザ端末３は、再生情報を、要求ユーザのユーザＩＤ、指定商品の店舗ＩＤ及び商品ＩＤ、表示日時とともに送信する。閲覧履歴記録部１４６は、受信した再生情報を、再生情報とともに送信されたユーザＩＤ、店舗ＩＤ、商品ＩＤ及び表示日時に対応付けて閲覧履歴ＤＢ１２ｄに登録する。
【００７８】
図１０は、本実施形態に係る電子商店街サーバ１のシステム制御部１４の編集動画生成処理における処理例を示すフローチャートである。編集動画生成処理は、例えば、定期的に実行される。また、編集動画生成処理は、例えば、オリジナル動画が登録されている商品ごとに実行される。ここで、編集動画の生成対象となる商品を、「対象商品」という。
【００７９】
図１０に示すように、動画生成部１４４は、対象商品の編集動画が登録されているか否かを判定する（ステップＳ６１）。このとき、動画生成部１４４は、編集動画が登録されていないと判定した場合には（ステップＳ６１：ＮＯ）、ステップＳ６２に移行する。一方、動画生成部１４４は、編集動画が登録されていると判定した場合には（ステップＳ６１：ＹＥＳ）、ステップＳ６７に移行する。
【００８０】
ステップＳ６２において、閲覧箇所特定部１４２は、対象商品の購入後の閲覧履歴を閲覧履歴ＤＢ１２ｄから検索する。次いで、閲覧箇所特定部１４２は、検索された閲覧履歴の中に、再生情報を含む閲覧履歴が予め設定された数以上あるか否かを判定する（ステップＳ６３）。このとき、閲覧箇所特定部１４２は、再生情報を含む閲覧履歴が予め設定された数以上あると判定した場合には（ステップＳ６３：ＹＥＳ）、ステップＳ６４に移行する。一方、閲覧箇所特定部１４２は、再生情報を含む閲覧履歴が予め設定された数以上ないと判定した場合には（ステップＳ６３：ＮＯ）、編集動画生成処理を終了させる。
【００８１】
ステップＳ６４において、閲覧箇所特定部１４２は、検索された閲覧履歴に含まれる再生情報に基づいて、オリジナル動画内で良く見られた部分を特定する。良く見られた部分の特定方法としては、公知の様々な方法を適用することができる。例えば、閲覧箇所特定部１４２は、再生位置ごとに評価値を計算してもよい。具体的に、閲覧箇所特定部１４２は、例えば、再生位置ごとに再生回数を計算する。このとき、閲覧箇所特定部１４２は、巻き戻し再生、早送り再生、スロー再生を考慮してもよい。例えば、閲覧箇所特定部１４２は、巻き戻し再生または早送り再生の場合は、１より小さい値を再生回数に加算する。また、閲覧箇所特定部１４２は、スロー再生の場合は、１よりも大きい値を再生回数に換算する。この場合、再生情報に、再生の種別が設定されている必要がある。閲覧箇所特定部１４２は、例えば、再生位置ごとの再生回数をそれぞれオリジナル動画の総再生回数で割ることにより、評価値を計算する。次いで、閲覧箇所特定部１４２は、評価値に基づいて、良く見られた部分を決定する。例えば、閲覧箇所特定部１４２は、評価値が予め設定された閾値以上である再生位置に対応する部分を、良く見られた部分として決定してもよい。
【００８２】
次いで、動画生成部１４４は、オリジナル動画のうち、良く見られた部分で構成される編集動画を生成する（ステップＳ６５）。このとき、動画生成部１４４は、オリジナル動画を解析してシーンが切り替わる再生位置を検出してもよい。そして、動画生成部１４４は、シーン単位でオリジナル動画から良く見られた部分を抽出し、抽出した部分で編集動画を生成してもよい。
【００８３】
次いで、動画生成部１４４は、編集動画を動画ＤＢ１２ｃに登録する（ステップＳ６６）。具体的に、動画生成部１４４は、新しい動画ＩＤを生成する。また、システム制御部１４は、現在日時を登録日時として取得する。そして、動画生成部１４４は、動画ＩＤ、登録日時及び編集動画を対応付けて登録する。また、動画生成部１４４は、編集動画の動画ＩＤを、対象商品の商品情報に設定する。動画生成部１４４は、この処理を終えると、編集動画生成処理を終了させる。
【００８４】
ステップＳ６７において、閲覧箇所特定部１４２は、対象商品の購入後の閲覧履歴のうち、編集動画の登録後の閲覧履歴を検索する。編集動画の登録後の閲覧履歴とは、表示日時が編集動画の登録日時よりも遅い閲覧履歴である。次いで、閲覧箇所特定部１４２は、検索された閲覧履歴の中に、オリジナル動画の再生情報を含む閲覧履歴が予め設定された数以上あるか否かを判定する（ステップＳ６８）。このとき、閲覧箇所特定部１４２は、オリジナル動画の再生情報を含む閲覧履歴が予め設定された数以上あると判定した場合には（ステップＳ６８：ＹＥＳ）、ステップＳ６９に移行する。一方、閲覧箇所特定部１４２は、オリジナル動画の再生情報を含む閲覧履歴が予め設定された数以上ないと判定した場合には（ステップＳ６８：ＮＯ）、編集動画生成処理を終了させる。一度編集動画が登録されると、ユーザ端末３から編集動画の再生情報が送信され始める。しかしながら、編集動画にはオリジナル動画の一部が含まれていない。そのため、編集動画の再生情報に基づいて良く見られた部分を特定することが適切ではない場合がある。そこで、動画生成部１４４は、図４（ａ）に示すリンク１２０が選択されることにより再生されたオリジナル動画の再生情報に基づいて、編集動画を生成する。
【００８５】
ステップＳ６９において、閲覧箇所特定部１４２は、検索された閲覧履歴の再生情報に基づいて、編集動画の登録後の動画の総再生回数に対するオリジナル動画の再生回数の割合を算出する。そして、閲覧箇所特定部１４２は、オリジナル動画の再生回数の割合が予め設定された閾値以上であるか否かを判定する。このとき、閲覧箇所特定部１４２は、オリジナル動画の再生回数の割合が予め設定された閾値以上であると判定した場合には（ステップＳ６９：ＹＥＳ）、ステップＳ７０に移行する。一方、閲覧箇所特定部１４２は、オリジナル動画の再生回数の割合が予め設定された閾値以上ではないと判定した場合には（ステップＳ６９：ＮＯ）、編集動画生成処理を終了させる。ユーザが編集動画を再生させた結果、ユーザが必要とする部分が再生されれば、ユーザはリンク１２０を選択することによりオリジナル動画を再生する必要はない。従って、オリジナル動画の再生回数の割合が小さいほど、編集動画は、対象商品の購入後のユーザにとって適切な動画である。一方、オリジナル動画の再生回数の割合が或る程度大きい場合、編集動画を生成し直す必要がある蓋然性がある。
【００８６】
ステップＳ７０において、閲覧箇所特定部１４２は、検索された閲覧履歴に含まれる再生情報のうちオリジナル動画の再生情報に基づいて、オリジナル動画内で良く見られた部分を特定する。このとき、閲覧箇所特定部１４２は、現在登録されている編集動画に含まれる部分を除外して、良く見られた部分を特定する。
【００８７】
次いで、動画生成部１４４は、現在登録されている編集動画に、特定した部分を追加することにより、新たな編集動画を生成する（ステップＳ７１）。ユーザは、編集動画にはない部分を見たいがために、リンク１２０を選択する蓋然性がある。そのため、新しい編集動画は、現在の編集動画にはない部分のうち、ユーザが見たがっていた蓋然性がある部分が追加される。次いで、動画生成部１４４は、ステップＳ６６に移行する。このとき、動画生成部１４４は、動画ＤＢ１２ｃに登録されている編集動画を新しい編集動画で書き換える。そして、動画生成部１４４は、編集動画生成処理を終了させる。
【００８８】
次に、図５（ｃ）に示すように、動画の再生開始位置を変更する場合の処理内容について説明する。この場合、システム制御部１４は、図１０に示す編集動画生成処理を実行する必要はない。図９に示す商品ページ送信処理において閲覧箇所特定部１４２は、のステップＳ３７の後、再生情報を含む閲覧履歴が予め設定された数以上あるか否かを判定する。このとき、閲覧箇所特定部１４２は、再生情報を含む閲覧履歴が予め設定された数以上ないと判定した場合には、ステップＳ４０に移行する。一方、閲覧箇所特定部１４２は、再生情報を含む閲覧履歴が予め設定された数以上あると判定した場合には、オリジナル動画内で良く見られた部分を特定する。次いで、閲覧箇所特定部１４２は、良く見られた部分の先頭の再生位置を特定する。商品ページのＨＴＭＬ文書には、例えば、動画を再生するためのスクリプトが記述されている。動画生成部１４４は、特定した再生位置を再生開始位置として、このスクリプト内に設定する。そして、送信部１４５は、再生開始位置が設定されたＨＴＭＬ文書をユーザ端末３へ送信する（ステップＳ４０）。商品ページが表示されているとき、ユーザが動画を再生させるためボタンを選択すると、ユーザ端末３は、動画を再生するためのスクリプトを実行する。そして、ユーザ端末３は、設定された再生開始位置を含むリクエストを電子商店街サーバ１へ送信する。電子商店街サーバ１は、動画を送信するとき、ユーザ端末３から送信された再生開始位置に対応する部分から動画の送信を開始する。これにより、ユーザ端末３は、良く見られた部分の先頭から動画の再生を開始する。
【００８９】
以上説明したように、本実施形態によれば、システム制御部１４が、商品ページを要求した要求ユーザが指定商品を購入しているか否かを判定し、指定商品の購入後の商品ページの表示箇所を示す閲覧箇所情報を含む閲覧履歴に基づいて、商品ページ内で見られた部分を特定し、要求ユーザが指定商品を購入していると判定された場合、要求ユーザが指定商品を購入していないと判定された場合よりも、特定された部分が優先的に見える態様で商品ページをユーザ端末３により表示させる。従って、ユーザが購入した商品の商品ページからユーザが見たい部分をそのユーザが容易に見付けることができる。
【００９０】
商品の中には、ユーザが基本的には１回のみ購入する商品が存在する。この商品の例としては、自転車、冷蔵庫等がある。このような商品をユーザが購入した後、ユーザが商品ページを閲覧する場合、ユーザに、その商品を購入する意思は基本的にはない。従って、購入前のユーザが見る部分と、購入後のユーザが見る部分とは異なる蓋然性が高い。この場合において、店舗が決定した商品ページ内の要素の配置が、商品を購入していないユーザ向けの配置であったとしても、商品を購入したユーザに対して利便性が高い情報提供が可能である。
【００９１】
その一方で、ユーザが何度も購入する商品も存在する。この商品の例としては、食料品、消耗品等がある。このような商品をユーザが購入した後、ユーザが商品ページを閲覧する場合、ユーザに、その商品を再度購入する意思があるかもしれない。従って、購入前のユーザが見る部分と、購入後のユーザが見る部分とがさほど変わらない蓋然性がある。しかしながら、この場合であっても、購入後の閲覧履歴に基づいて、商品の購入後に商品ページ内で見られた部分が特定されるので、不都合は生じない。その理由は、購入後の閲覧履歴は、商品を再度購入する意思があるユーザの閲覧履歴も含からである。
【００９２】
このように、本実施形態によれば、例えば、購入前に見られる部分と購入後に見られる部分とを店舗が断定して、購入前のユーザ向けの商品ページ及び購入後のユーザ向けの商品ページを店舗が作成する場合よりも、ユーザに合った情報提供が可能である。
【００９３】
また、システム制御部１４が、指定商品の購入後の動画の再生箇所を示す再生箇所情報を含む閲覧履歴に基づいて、動画内で見られた部分を特定し、要求ユーザが指定商品を購入していると判定された場合、要求ユーザが指定商品を購入していないと判定された場合よりも、特定された部分が優先的に再生される態様で動画をユーザ端末３により再生させる。従って、ユーザが購入した商品の商品ページに含まれる動画からユーザが見たい部分をそのユーザが容易に見付けることができる。
【００９４】
また、システム制御部１４が、商品ページのスクロール表示が可能な表示領域２００に、特定された部分が含まれるように商品ページを表示領域２００に表示させる。従って、ユーザは、見たい部分を見るためにスクロール操作を行う必要がない。
【００９５】
また、システム制御部１４が、特定された部分の商品ページ内における位置を商品ページの他の部分よりも見やすい位置に変更する。従って、要求ユーザは、見たい部分を容易に見付けることができる。
【００９６】
なお、上記実施形態において、電子商店街サーバ１は、商品の購入後のユーザに適した商品ページを表示させるようにしていた。しかしながら、電子商店街サーバ１は、商品の購入後のユーザに適した商品ページに加えて、商品を購入していないユーザに適した商品ページをユーザ端末３により表示させてもよい。具体的に、図９に示す商品ページ送信処理のステップＳ３３において、購入判定部１４１が要求ユーザが指定商品を購入したことを示す購入履歴がないと判定した場合（ステップＳ３３：ＮＯ）、閲覧箇所特定部１４２は、指定商品の未購入時の閲覧履歴を閲覧履歴ＤＢ１２ｄから検索する。そして、閲覧箇所特定部１４２は、検索された閲覧履歴に基づいて、ステップＳ３５及びＳ３６と同様の処理を実行する。
【００９７】
このように、システム制御部１４が、指定商品が購入されていないときの商品ページの表示箇所を示す閲覧箇所情報を含む閲覧履歴に基づいて、商品ページ内で見られた部分を特定し、要求ユーザが指定商品を購入していないと判定された場合、要求ユーザが指定商品を購入していると判定された場合よりも、特定された部分が優先的に見える態様で商品ページを表示させてもよい。この場合、ユーザが購入していない商品のウェブページからユーザが見たい部分をそのユーザが容易に見付けることができる。
【００９８】
また、電子商店街サーバ１は、商品をまだ購入していないユーザに適した動画が表示されるようにしてもよい。この場合、商品の購入後のユーザに適した編集動画と、商品を購入していないユーザに適した編集動画とが存在することになる。具体的に、システム制御部１４は、購入していないユーザに適した編集動画を生成するため、図１０に示す編集動画生成処理と基本的に同様の処理を行う。しかしながら、ステップＳ６２及びＳ６７において、システム制御部１４は、対象商品の未購入時の閲覧履歴を検索する。
【００９９】
また、上記実施形態において、電子商店街サーバ１は、商品の購入後のユーザに適した商品ページを表示させるとともに、商品の購入後のユーザに適した動画を再生させていた。しかしながら、電子商店街サーバ１は、商品ページ及び動画の何れか一方のみ、商品の購入後のユーザに適するように表示させてもよい。
【０１００】
また、上記実施形態においては、本発明のコンテンツが商品ページに適用されていた。しかしながら、本発明のコンテンツが、例えば、商品に関する動画に適用されてもよい。つまり、本発明のコンテンツは、動画のみを含んでいてもよい。
【０１０１】
また、上記実施形態において、電子商店街サーバ１は、商品を購入したユーザが利用するユーザ端末３から商品ページのリクエストを受信するたびに、商品の購入後のユーザに適した商品ページを生成していた。しかしながら、電子商店街サーバ１は、例えば、商品の購入後のユーザに適した商品ページ定期的に生成してもよい。
【０１０２】
また、上記実施形態においては、閲覧履歴に購入状態が含まれていた。しかしながら、閲覧履歴に購入状態が含まれていなくてもよい。この場合、電子商店街サーバ１は、閲覧履歴に含まれるユーザＩＤ、店舗ＩＤ及び商品ＩＤで購入履歴ＤＢ１２ｅから購入履歴を検索することにより、閲覧履歴が購入後の閲覧履歴であるか否かを判定することができる。
【０１０３】
また、上記実施形態においては、複数の店舗から商品が販売される電子商店街に本発明が適用されていた。しかしながら、単一の販売元から商品が販売される電子商取引のウェブサイトに本発明が適用されてもよい。
【符号の説明】
【０１０４】
１  電子商店街サーバ
２  店舗端末
３  ユーザ端末
１１  通信部
１２  記憶部
１２ａ  会員情報ＤＢ
１２ｂ  商品情報ＤＢ
１２ｃ  動画ＤＢ
１２ｄ  閲覧履歴ＤＢ
１２ｅ  購入履歴ＤＢ
１３  入出力インターフェース
１４  システム制御部
１４ａ  ＣＰＵ
１４ｂ  ＲＯＭ
１４ｃ  ＲＡＭ
１５  システムバス
１４１  購入判定部
１４２  閲覧箇所特定部
１４３  商品ページ生成部
１４４  動画生成部
１４５  送信部
１４６  閲覧履歴記録部
ＮＷ  ネットワーク
Ｓ  情報処理システム
【図１】
2014006841.tif 000003
【図２】
2014006841.tif 000004
【図３】
2014006841.tif 000005
【図４】
2014006841.tif 000006
【図５】
2014006841.tif 000007
【図６】
2014006841.tif 000008
【図７】
2014006841.tif 000009
【図８】
2014006841.tif 000010
【図９】
2014006841.tif 000011
【図１０】
2014006841.tif 000012